【手続補正書】
【提出日】平成16年11月29日(2004.11.29)
【手続補正１】
【補正対象書類名】明細書
【補正対象項目名】特許請求の範囲
【補正方法】変更
【補正の内容】
【特許請求の範囲】
【請求項１】
情報記録媒体を内蔵した情報処理装置において、
前記情報記録媒体とデータを通信する通信手段と、
前記情報記録媒体へのアクセスを検知する検知手段と、
前記検知手段による検知結果が、前記通信手段によるアクセスであるか、または、外部装置からのアクセスであるかを判定する判定手段と、
前記判定手段により前記外部装置からのアクセスであると判定された場合、前記外部装置に対するアクセスを制御するアクセス制御手段と
を備えることを特徴とする情報処理装置。
【請求項２】
前記検知手段により前記情報記録媒体へのアクセスが検知された場合、そのアクセスに関する履歴情報を記録する記録手段をさらに備える
ことを特徴とする請求項１に記載の情報処理装置。
【請求項３】
前記アクセス制御手段は、前記記録手段に記録されている前記履歴情報を参照し、前記外部装置に対応する前記履歴情報が検索された場合、
その履歴情報に基づいて、前記外部装置に対するアクセスを制御する
ことを特徴とする請求項２に記載の情報処理装置。
【請求項４】
前記アクセス制御手段は、前記記録手段に記録されている前記履歴情報を参照し、前記外部装置に対応する履歴情報が検索されなかった場合、アクセスの可否を選択させるための選択画面を表示し、
前記記録手段は、前記選択画面に対するユーザの操作に基づいて、前記履歴情報を記録する
ことを特徴とする請求項２に記載の情報処理装置。
【請求項５】
前記情報記録媒体は、非接触型ＩＣである
ことを特徴とする請求項１に記載の情報処理装置。
【請求項６】
情報記録媒体を内蔵した情報処理装置の情報処理方法において、
前記情報記録媒体とデータを通信する通信ステップと、
前記情報記録媒体へのアクセスを検知する検知ステップと、
前記検知ステップの処理による検知結果が、前記通信ステップの処理によるアクセスであるか、または、外部装置からのアクセスであるかを判定する判定ステップと、
前記判定ステップの処理により前記外部装置からのアクセスであると判定された場合、前記外部装置に対するアクセスを制御するアクセス制御ステップと
を含むことを特徴とする情報処理方法。
【請求項７】
情報記録媒体を内蔵した情報処理装置の情報処理を、コンピュータに行わせるプログラムにおいて、
前記情報記録媒体とデータを通信する通信ステップと、
前記情報記録媒体へのアクセスを検知する検知ステップと、
前記検知ステップの処理による検知結果が、前記通信ステップの処理によるアクセスであるか、または、外部装置からのアクセスであるかを判定する判定ステップと、
前記判定ステップの処理により前記外部装置からのアクセスであると判定された場合、前記外部装置に対するアクセスを制御するアクセス制御ステップと
を含むことを特徴とするコンピュータが読み取り可能なプログラムが記録されている記録媒体。
【請求項８】
情報記録媒体を内蔵した情報処理装置の情報処理を、コンピュータに行わせるプログラムにおいて、
前記情報記録媒体とデータを通信する通信ステップと、
前記情報記録媒体へのアクセスを検知する検知ステップと、
前記検知ステップの処理による検知結果が、前記通信ステップの処理によるアクセスであるか、または、外部装置からのアクセスであるかを判定する判定ステップと、
前記判定ステップの処理により前記外部装置からのアクセスであると判定された場合、前記外部装置に対するアクセスを制御するアクセス制御ステップと
をコンピュータに実行させることを特徴とするプログラム。
【請求項９】
情報記録媒体を内蔵した情報処理装置において、
前記情報記録媒体とデータを通信する通信手段と、
前記情報記録媒体へのアクセスを検知する検知手段と、
前記検知手段による検知結果が、前記通信手段によるアクセスであるか、または、外部装置からのアクセスであるかを判定する判定手段と、
前記判定手段により前記外部装置からのアクセスであると判定された場合、アクセスされた旨を報知する報知手段と
を備えることを特徴とする情報処理装置。
【請求項１０】
前記報知手段は、警告表示、音、光、または振動により報知する
ことを特徴とする請求項９に記載の情報処理装置。
【請求項１１】
前記報知手段は、アクセス元に応じて、報知方法を変更する
ことを特徴とする請求項９に記載の情報処理装置。
【請求項１２】
前記検知手段により前記情報記録媒体へのアクセスが検知された場合、そのアクセスに関する履歴情報を記録する記録手段をさらに備える
ことを特徴とする請求項９に記載の情報処理装置。
【請求項１３】
前記情報記録媒体は、非接触型ＩＣである
ことを特徴とする請求項９に記載の情報処理装置。
【請求項１４】
情報記録媒体を内蔵した情報処理装置の情報処理方法において、
前記情報記録媒体とデータを通信する通信ステップと、
前記情報記録媒体へのアクセスを検知する検知ステップと、
前記検知ステップの処理による検知結果が、前記通信ステップの処理によるアクセスであるか、または、外部装置からのアクセスであるかを判定する判定ステップと、
前記判定ステップの処理により前記外部装置からのアクセスであると判定された場合、アクセスされた旨を報知する報知ステップと
を含むことを特徴とする情報処理方法。
【請求項１５】
情報記録媒体を内蔵した情報処理装置の情報処理を、コンピュータに行わせるプログラムにおいて、
前記情報記録媒体とデータを通信する通信ステップと、
前記情報記録媒体へのアクセスを検知する検知ステップと、
前記検知ステップの処理による検知結果が、前記通信ステップの処理によるアクセスであるか、または、外部装置からのアクセスであるかを判定する判定ステップと、
前記判定ステップの処理により前記外部装置からのアクセスであると判定された場合、アクセスされた旨を報知する報知ステップと
を含むことを特徴とするコンピュータが読み取り可能なプログラムが記録されている記録媒体。
【請求項１６】
情報記録媒体を内蔵した情報処理装置の情報処理を、コンピュータに行わせるプログラムにおいて、
前記情報記録媒体とデータを通信する通信ステップと、
前記情報記録媒体へのアクセスを検知する検知ステップと、
前記検知ステップの処理による検知結果が、前記通信ステップの処理によるアクセスであるか、または、外部装置からのアクセスであるかを判定する判定ステップと、
前記判定ステップの処理により前記外部装置からのアクセスであると判定された場合、アクセスされた旨を報知する報知ステップと
をコンピュータに実行させることを特徴とするプログラム。
【請求項１７】
前記判定手段により前記外部装置からのアクセスであると判定された場合、アクセスされた旨を報知する報知手段をさらに備える
ことを特徴とする請求項１に記載の情報処理装置。
【請求項１８】
前記報知手段は、警告表示、音、光、または振動により報知する
ことを特徴とする請求項１７に記載の情報処理装置。
【請求項１９】
前記報知手段は、アクセス元に応じて、報知方法を変更する
ことを特徴とする請求項１７に記載の情報処理装置。
【手続補正２】
【補正対象書類名】明細書
【補正対象項目名】０００８
【補正方法】変更
【補正の内容】
【０００８】
【課題を解決するための手段】
本発明の第１の情報処理装置は、情報記録媒体とデータを通信する通信手段と、情報記録媒体へのアクセスを検知する検知手段と、検知手段による検知結果が、通信手段によるアクセスであるか、または、外部装置からのアクセスであるかを判定する判定手段と、判定手段により外部装置からのアクセスであると判定された場合、外部装置に対するアクセスを制御するアクセス制御手段とを備えることを特徴とする。
【手続補正３】
【補正対象書類名】明細書
【補正対象項目名】００１３
【補正方法】変更
【補正の内容】
【００１３】
本発明の第１の情報処理方法は、情報記録媒体とデータを通信する通信ステップと、情報記録媒体へのアクセスを検知する検知ステップと、検知ステップの処理による検知結果が、通信ステップの処理によるアクセスであるか、または、外部装置からのアクセスであるかを判定する判定ステップと、判定ステップの処理により外部装置からのアクセスであると判定された場合、外部装置に対するアクセスを制御するアクセス制御ステップとを含むことを特徴とする。
【手続補正４】
【補正対象書類名】明細書
【補正対象項目名】００１４
【補正方法】変更
【補正の内容】
【００１４】
本発明の第１の記録媒体に記録されているプログラムは、情報記録媒体とデータを通信する通信ステップと、情報記録媒体へのアクセスを検知する検知ステップと、検知ステップの処理による検知結果が、通信ステップの処理によるアクセスであるか、または、外部装置からのアクセスであるかを判定する判定ステップと、判定ステップの処理により外部装置からのアクセスであると判定された場合、外部装置に対するアクセスを制御するアクセス制御ステップとをコンピュータに行わせることを特徴とする。
【手続補正５】
【補正対象書類名】明細書
【補正対象項目名】００１５
【補正方法】変更
【補正の内容】
【００１５】
本発明の第１のプログラムは、情報記録媒体とデータを通信する通信ステップと、情報記録媒体へのアクセスを検知する検知ステップと、検知ステップの処理による検知結果が、通信ステップの処理によるアクセスであるか、または、外部装置からのアクセスであるかを判定する判定ステップと、判定ステップの処理により外部装置からのアクセスであると判定された場合、外部装置に対するアクセスを制御するアクセス制御ステップとをコンピュータに行わせることを特徴とする。
【手続補正６】
【補正対象書類名】明細書
【補正対象項目名】００１６
【補正方法】変更
【補正の内容】
【００１６】
本発明の第２の情報処理装置は、情報記録媒体とデータを通信する通信手段と、情報記録媒体へのアクセスを検知する検知手段と、検知手段による検知結果が、通信手段によるアクセスであるか、または、外部装置からのアクセスであるかを判定する判定手段と、判定手段により外部装置からのアクセスであると判定された場合、アクセスされた旨を報知する報知手段とを備えることを特徴とする。
【手続補正７】
【補正対象書類名】明細書
【補正対象項目名】００１９
【補正方法】変更
【補正の内容】
【００１９】
前記検知手段により情報記録媒体へのアクセスが検知された場合、そのアクセスに関する履歴情報を記録する記録手段をさらに設けることができる。
【手続補正８】
【補正対象書類名】明細書
【補正対象項目名】００２１
【補正方法】変更
【補正の内容】
【００２１】
本発明の第２の情報処理方法は、情報記録媒体とデータを通信する通信ステップと、情報記録媒体へのアクセスを検知する検知ステップと、検知ステップの処理による検知結果が、通信ステップの処理によるアクセスであるか、または、外部装置からのアクセスであるかを判定する判定ステップと、判定ステップの処理により外部装置からのアクセスであると判定された場合、アクセスされた旨を報知する報知ステップとを含むことを特徴とする。
【手続補正９】
【補正対象書類名】明細書
【補正対象項目名】００２２
【補正方法】変更
【補正の内容】
【００２２】
本発明の第２の記録媒体に記録されているプログラムは、情報記録媒体とデータを通信する通信ステップと、情報記録媒体へのアクセスを検知する検知ステップと、検知ステップの処理による検知結果が、通信ステップの処理によるアクセスであるか、または、外部装置からのアクセスであるかを判定する判定ステップと、判定ステップの処理により外部装置からのアクセスであると判定された場合、アクセスされた旨を報知する報知ステップとをコンピュータに行わせることを特徴とする。
【手続補正１０】
【補正対象書類名】明細書
【補正対象項目名】００２３
【補正方法】変更
【補正の内容】
【００２３】
本発明の第２のプログラムは、情報記録媒体とデータを通信する通信ステップと、情報記録媒体へのアクセスを検知する検知ステップと、検知ステップの処理による検知結果が、通信ステップの処理によるアクセスであるか、または、外部装置からのアクセスであるかを判定する判定ステップと、判定ステップの処理により外部装置からのアクセスであると判定された場合、アクセスされた旨を報知する報知ステップとをコンピュータに行わせることを特徴とする。
前記判定手段により前記外部装置からのアクセスであると判定された場合、アクセスされた旨を報知する報知手段をさらに備えることを特徴とする。
前記報知手段には、警告表示、音、光、または振動により報知させることができる。
前記報知手段には、アクセス元に応じて、報知方法を変更させることができる。
【手続補正１１】
【補正対象書類名】明細書
【補正対象項目名】００２４
【補正方法】変更
【補正の内容】
【００２４】
第１の本発明においては、情報記録媒体へのアクセスが検知され、その検知結果が、内部によるアクセスであるか、または、外部装置からのアクセスであるかが判定され、外部装置からのアクセスであると判定された場合、外部装置に対するアクセスが制御される。
【手続補正１２】
【補正対象書類名】明細書
【補正対象項目名】００２５
【補正方法】変更
【補正の内容】
【００２５】
第２の本発明においては、情報記録媒体へのアクセスが検知され、その検知結果が、内部によるアクセスであるか、または、外部装置からのアクセスであるかが判定され、外部装置からのアクセスであると判定された場合、アクセスされた旨が報知される。
【手続補正１３】
【補正対象書類名】明細書
【補正対象項目名】００３４
【補正方法】変更
【補正の内容】
【００３４】
記憶部１６は、不揮発性メモリなどで構成され、CPU１１が実行する各種プログラムやデータなどを記録する。また記憶部１６には、非接触ＩＣリーダライタ３などの外部装置、または端末装置１（内部）から非接触型ＩＣ２に対してアクセスされた場合、その履歴情報が記録される（その詳細は図３を参照して後述する）。
【手続補正１４】
【補正対象書類名】明細書
【補正対象項目名】００３６
【補正方法】変更
【補正の内容】
【００３６】
アンテナ１８は、固定無線局である基地局（図示せず）との間で電波を送受信する。通信部１９は、アンテナ１８で受信した受信信号を増幅して周波数変換処理およびアナログデジタル変換処理を施し、音声処理部１７に出力する。また通信部１９は、音声処理部１７から供給されたデジタル音声データをデジタルアナログ変換処理および周波数変換処理を施した後、アンテナ１８を介して送信する。